(57)【要約】【課題】本発明は、冷却、又は、保温のいずれにおいても使用可能であり、経済的に優れ、環境的面において優しく、且つ、取り扱いが容易なため場所を選ばず使用することができるペット用敷設具を提供することを目的とする。【解決手段】ペットを載上させて使用するペット用敷設具１０、４０、５０、６０、７０であって、保温媒体、又は、冷却媒体１２のいずれか一方の調温媒体１２を収容する箱体１５、４１、７１を、該箱体１５、４１、７１内に収容した上記調温媒体が熱伝導部材１１と接触可能に該熱伝導部材１１へ固着したペット用敷設具１０、４０、５０、６０、７０。【選択図】    図４
2005034018.tif 000002
【特許請求の範囲】
【請求項１】
ペットが載上して接触する熱伝導部材と
保温媒体、又は、冷却媒体のいずれか一方からなる調温媒体と
上記熱伝導部材へ固着し、上記調温媒体と上記熱伝導部材とが接触して熱伝導可能に上記調温媒体を収容する箱体とを備えた
ペット用敷設具。
【請求項２】
前記調温媒体と前記熱伝導部材との接触前後における上記熱伝導部材の温度変化を、上記調温媒体が上記熱伝導部材に直接接触させるよりも緩やかにする温度変化緩和手段を前記箱体内に備えた
請求項１に記載のペット用敷設具。
【請求項３】
前記熱伝導部材の下面における、少なくとも該熱伝導部材の上面に載上したペットを支持可能とする部位に断熱部材を固着した
請求項１、又は、２に記載のペット用敷設具。
【請求項４】
前記熱伝導部材の上面に、通気性の有する柔軟部材を備えた
請求項１、２、又は、３に記載のペット用敷設具。
【発明の詳細な説明】
【０００１】
【発明の属する技術分野】
この発明は、ペットを載上させて使用するペット用敷設具に関し、より詳しくは、ペットを載上させる載上面を快適な温度に維持した状態で使用できるペット用敷設具に関する。
【０００２】
【従来の技術】
従来、ペットが快適な温度状態で過ごすことができるように様々な技術が提案されている。
【０００３】
特にペットに敷設して使用するペット用のマット部材に関する先行技術として、例えば、先行技術１（特許文献１参照）の、ペット用保冷マットと呼ばれるマットは、不透水性を有するシート材から構成された袋体の内部に保水体を具備し、その内部に水を充填するための注入口を備えて形成する。
【０００４】
上記ペット用保冷マットは、注入口から注入して保水体内部に充填した水を、上記保水体を構成する吸水性ポリマーと反応させ、ゲル状体とする。これにより、マットからの水漏れを防ぐことができ、使用者は、該ペット用マットを直ぐに使用することができる。
【０００５】
しかし、上述した先行技術においては、保水体には、水を注入することのみを前提としているため、保冷用としてしか用いることができない。すなわち、上記ペット用マットは、年間を通じてせいぜい夏季にしか使用する機会がない。
【０００６】
また、使用者は、使用の度に保水体内部に水を充填する必要があり、特に、夏季においては、略毎日、上記ペット用保冷マットを使用することが考えられるため、その度に水を充填する必要がある。
【０００７】
上記ペット用保冷マットは、このように水を大量に要するため、経済的にも環境面においても好ましくないといえる。
【０００８】
また、他のペットに敷設して使用するペット用のマット部材に関する先行技術２（特許文献２参照）も提案されている。上記先行技術２のペット用冷暖房マットは、織物等で被覆した合成樹脂のマット内に通気室を形成し、該通気室とマット上面とを多数の小孔で貫通させるとともに、冷暖房機を、連通パイプを介して上記通気室と連通して形成している。
【０００９】
上記構成により、利用者は、冷暖房機を作動させるだけで、連通パイプから通気室を経た冷風、又は、温風を小孔から排出することができる。よって、上記ペット用冷暖房マットは、冷暖房機を冷房、あるいは、暖房のいずれかの設定に応じて冷却用、あるいは、採暖用のペット用マットとして年間を通じて使用可能となる。
【００１０】
しかし、上記ペット用冷暖房マットは、冷暖房機を使用するため、電力を消費するとともに、電気代がかかる。例えば、夏季において冷暖房機を冷房機として使用する際、ペット用冷暖房マットを室外で使用することを想定すると冷暖房機からの送風は、外気によって冷気を奪われるため、その分、冷暖房機はより冷気を送風する必要があり、電力消費が増大になってしまう。
【００１１】
さらに、ペット用冷暖房マットを室外で使用する場合、室内に設置している冷暖房機に連結した連結パイプを室外のペット用冷暖房マットへ取り回す手間も要する。
【００１２】
また、ペット用冷暖房マットを室内で使用する場合においても、上記小孔から排出した冷風、又は、温風は、ペットが普段から載上している織物を通じて部屋中に拡散するため、室内の臭いのもとになるとともに衛生上好ましくない。
【００１３】
【特許文献１】
特開２００２−１１９１６５号公報
【特許文献２】
特開平１０−００４８１３号公報
【発明が解決しようとする課題】
そこで本発明は、冷却、又は、保温のいずれにおいても使用可能であり、経済的に優れ、環境的面において優しく、且つ、取り扱いが容易なため場所を選ばず使用することができるペット用敷設具を提供することを目的とする。
【００１４】
【課題を解決するための手段】
この発明は、ペットが載上して接触する熱伝導部材と保温媒体、又は、冷却媒体のいずれか一方からなる調温媒体と上記熱伝導部材へ固着し、上記調温媒体と上記熱伝導部材とが接触して熱伝導可能に上記調温媒体を収容する箱体とを備えたことを特徴とする。
【００１５】
上記保温媒体は、例えば、鉄粉、炭酸カルシウム等の酸化熱によって発熱する酸化熱発熱体、あるいは、酢酸ナトリウム三水塩水溶液（ＮａＣＨ３ＣＯ２・３Ｈ２Ｏ）等の凝固熱によって発熱する凝固熱発生剤を袋体に充填した媒体を含む。
さらに、上記保温媒体は、電池と抵抗ループを利用して発熱する回路、あるいは、湯等の熱が発生可能な媒体であればいずれの媒体であっても構わない。
【００１６】
また、上記冷却媒体は、氷、ドライアイス、あるいは、保冷剤等の冷却が可能な媒体であればいずれの媒体であっても構わない。なお、上記保冷剤は、高吸水性樹脂を主体としたもの、あるいは、吸熱反応を利用するもの等いずれのタイプであっても構わない。
【００１７】
上記箱体は、例えば、合成樹脂部材等の非熱伝導部材を用いて形成する、あるいは、上記熱伝導部材と同じ材質の熱伝導部材を用いて形成する等のいずれの材質で形成することを含む。
【００１８】
さらに、上記箱体は、例えば、蓋部材を備えて形成してもよく、さらに、意匠的な観点から箱体を上面視したとき犬の好物である骨の形状で形成する等いずれの形状、大きさで形成してもよく、さらに、熱伝導部材の上面、下面、あるいは中央部等いずれの部位に任意の個数形成してもよい。
【００１９】
上記箱体には、上記保温媒体、又は、上記冷却媒体のいずれか一方である上記調温媒体を収納することに限らず、例えば、芳香剤、又は、ダニ、蚊等の虫除け剤を収納して使用してもよい。
【００２０】
また、上記熱伝導部材は、アルミ、ステンレス、鉄、鋼材、鋼材に表面処理を施したもの等の熱を伝導可能な部材であればいずれの部材であっても構わない。
【００２１】
なお、ここで上記熱とは、熱伝導部材を伝導して保温するための熱（加熱）に限らず冷却するための熱（除熱、あるいは、吸熱）も含む。
【００２２】
使用者は、例えば、底部を形成していないが蓋部材を備えた箱を熱伝導部材の上面に固着し、調温媒体を箱体内の熱伝導部材の上面に載置して蓋部材を閉めれば、該調温媒体は、熱伝導部材の上面に接触した状態で箱体に収納できる。
【００２３】
すなわち、調温媒体と熱伝導部材との接触面を通じて熱が伝導するとともに、熱が外気へ拡散しないように調温媒体を箱体に収納することで、最小限の調温媒体で効率的に熱伝導部材全体を冷却、又は、採暖することができる。
【００２４】
使用後は、再使用可能な例えば、保冷剤等の調温媒体を用いた場合は、冷蔵庫等で再度冷却すれば何度でも使用することができる。
【００２５】
また、前記調温媒体と前記熱伝導部材との接触前後における上記熱伝導部材の温度変化を、上記調温媒体が上記熱伝導部材に直接接触させるよりも緩やかにする温度変化緩和手段を前記箱体内に備えてもよい。
【００２６】
上記温度変化緩和手段は、例えば、布、フエルト等を面状体で、あるいは、袋体等で形成することができる。また、上記調温媒体は、直接、箱体内に収容してもよいが、上記温度変化緩和手段を介して調温媒体を熱伝導部材、あるいは、箱体に接触させて収納してもよい。
【００２７】
上記温度変化緩和手段により、調温媒体の熱伝導部材への伝導を抑制して急激な熱伝導部材の温度変化を防ぐことができ、例えば、熱伝導部材上面が結露することを防ぐ、あるいは、熱伝導部材の急激な温度上昇を防ぐこともできる。
【００２８】
また、上記熱伝導部材の下面における、少なくとも該熱伝導部材の上面に載上したペットを支持可能とする部位に断熱部材を固着するとよい。
【００２９】
ペット用敷設具は、通常、地面に載置して使用した場合、その際、上記熱伝導部材の下面から地面に熱が放出される。しかし、上記構成を採れば、断熱部材を介して熱伝導部材と地面とが直接接触しないため、ペット用敷設具の保温、又は、冷却機能を確保することができる。
【００３０】
上記熱伝導部材におけるペットが載上する載上面に、通気性の有する柔軟部材を備えてもよい。具体的には、例えば、通気性の有するスポンジ等の弾性部材を敷設することで従来どおり、保温、冷却機能を確保して、しかもペットを柔軟な面上に載上させることができる。
【００３１】
また、ペット用敷設具全体、あるいはペットの載上面となる熱伝導部材を布、織物、毛織物等で被覆してもよい。
【００３２】
【発明の効果】
この発明によれば、ペット用敷設具は、ペットが載上する面を熱伝導部材とし、該熱伝導部材を通して熱を全体に効率的に伝導させるため、電気、水等を殆ど使用する必要がない。しかも、保冷剤等の調温媒体を使用した場合は、何度でも再使用することができるため、経済的に優れ、環境面においても優しい。
【００３３】
ペット用敷設具は、箱体に収納する上記調温媒体に応じて、保温用、あるいは冷却用として使用することができるため、年間を通じて使用することができる。
【００３４】
ペット用敷設具は、電気コード等は必要とせず、通常は例えば、上記調温媒体として使い捨てカイロ、又は、保冷剤等を使用するため、ペットにとっても安全である。
【００３５】
ペット用敷設具は、上記調温媒体を上記箱体に収容するだけで室内外に関わらず容易に使用することができるため、飼い主の手間を要しない。
【００３６】
上記箱体内に上記温度変化緩和手段を備えれば、熱伝導部材の温度変化を緩やかにすることができるため、ペットに対しても快適に、且つ、安全に使用することができる。
【００３７】
熱伝導部材は、上記断熱部材を形成することで、より効率よく熱を伝導することができる。
【００３８】
ペットが載上する載上面に柔軟素材を備えれば、ペット用敷設具を、ペットにとって快適に使用させることができる。
【００３９】
【発明の実施の形態】
この発明の一実施形態を、以下図面を用いて説明する。
図１、図２に示すごとく、ペット用敷設具１０の構成は、大別すると、熱伝導板１１と、箱体１５と、保冷剤１２とを備えて形成している。
なお、図１は、箱体１５内に保冷剤１２を収納した状態図を示し、図２は箱体１５内を断面で現した図である。
【００４０】
まず、上記熱伝導板１１は、中型犬や猫等が載上可能な大きさで上面視矩形をし、且つ、熱伝導性を有するアルミ素材で形成している。なお、上記熱伝導板１１は、４角に円弧状のＲ加工を施している。
【００４１】
図２に示すごとく、箱体１５は、プラスチック部材を組み合わせて平面視矩形形状に外周壁１３のみを接着剤で固着して形成する。さらに、上記外周壁１３の上記平面視矩形と同一形状をした板状の蓋部材１４を形成し、外周壁１３の上面の開口部１８が上記蓋部材１４で開閉可能に形成している。
【００４２】
なお、上記蓋部材１４の下面の長手方向の両側における外周壁１３の厚みを隔てた内側には、プラスチックで形成した角形の棒部材１６が蓋部材１４の幅方向に、下側に突き出した形態で取り付いている。これにより、外周壁１３の上面の開口部１８を蓋部材１４で閉じたときに該蓋部材１４がずれない。
【００４３】
さらに、上記蓋部材１４の下面を上記熱伝導板１１の長手方向の片端部と、箱体１５の長手方向の一方の外周壁１３との面どうしを一致させたとき、熱伝導板１１の下面とに接着剤を用いて隙間なく固着して箱体１５を形成している。
【００４４】
また、上記保冷剤１２は、柔軟素材の袋体にゲル状の高吸水性樹脂を主成分とするゲル状の媒体を充填して平面視手のひらサイズに形成している。上記保冷剤１２は、フエルトで形成したフエルトの袋体１７に収納している。
【００４５】
図３に示すごとく、上記構成を採るペット用敷設具１０の使用時においては、利用者は予め凍らせてフエルトの袋体１７に収納した状態の保冷剤１２を箱体１５内の下面の熱伝導板１１に載置する。さらに、利用者は、蓋部材１４で箱体１５を閉口すれば、保冷剤１２を箱体１５内に収納することができる。
【００４６】
上述するごとく保冷剤１２を箱体１５内に収納すれば、保冷剤１２は熱伝導板１１が保有する熱を吸熱するため、熱伝導板１１との接触面を通じて、１０分から２５分程度経過すれば、冷却熱を伝導し、箱体１５の周辺を中心に熱伝導板１１の略全体を冷却することができる。
【００４７】
また、箱体１５の外周壁１３、及び、蓋部材１４は、熱伝導性の低いプラスチックで形成し、保冷剤１２を囲繞している（図２参照）。すなわち、保冷剤１２は、外気に触れることがなく、且つ、保冷剤１２と熱伝導板１１との接触面以外、冷気が逃げないため、保冷剤１２を長持ちさせることができる。
【００４８】
上述により、ペットは、熱伝導板１１の上面に載上して快適に睡眠等することができる。
【００４９】
また、ペット用敷設具４０は、蓋部材４２も含めて箱体４１を例えば、熱伝導板１１と同様にアルミ素材で形成することもできる。この場合、箱体４１自体も保冷剤１２と熱伝導が可能となるため、該箱体４１自体も冷却することができる。よって、図４に示すごとく冷却した熱伝導板１１に載上したペット（猫）４３は、箱体４１に頭部を載置して快適に睡眠することができる。
【００５０】
しかも、上記保冷剤１２は、上記フエルトの袋体１７に収納して、該フエルトの袋体１７を介して熱伝導板１１の上面に接触することで該熱伝導板１１を緩やかに冷却することができる。すなわち、箱体４１、あるいは、箱体４１周辺の熱伝導板１１が急激に冷却され結露してしまうこともないため、ペット４３は、快適に睡眠することができる。
【００５１】
なお、使用環境等によって、上述するごとく熱伝導板１１の上面が結露するあるいは急激に温度上昇してしまうことを考慮する必要がない場合は、フエルトの袋体１７を用いず、保冷剤１２を直接、熱伝導板１１の上面に載置しても構わない。
【００５２】
さらに、他の実施形態として、図５（ａ）、（ｂ）に示すごとく、ペット用敷設具５０は、非熱伝導性の弾性ウレタン部材５１を熱伝導板１１の下面における長手方向の両側部に、及び、熱伝導板１１の中央部にそれぞれ接着剤で一体に固着して形成してもよい。なお、図５（ａ）はペット用敷設具５０の正面図、図５（ａ）はペット用敷設具５０の背面図を表す。
【００５３】
上記構成を採れば、上記弾性ウレタン部材５１でペット用敷設具５０を支持する形態で地面に載置すれば、熱伝導板１１は地面と直接接触しないため、地面に冷気を奪われることがない。よって、より一層熱伝導板１１を冷却でき、且つ、保冷剤１２の効力を長持ちさせることができる。
【００５４】
また、図６に示すごとく、ペット用敷設具６０は、通気性を備えた柔軟な袋状のマット６１で被覆してもよい。マット６１は、ペット用敷設具６０に被覆したとき、ペット用敷設具６０の幅方向の片端部に対応する部位にスライドファスナの一方６２ａを上側に添着し、スライドファスナ６２ｂの他方を下側に添着して互いに開閉可能に形成している。
【００５５】
さらに、箱体１５を上面視したとき、箱体１５の外周部におけるペット用敷設具６０の長手方向の内側を除いた部位に、上述と同様にスライドファスナの一方６３ａを上側に添着し、スライドファスナの他方６３ｂを下側に添着して互いに開閉可能に形成している。
【００５６】
上記構成を採れば、ペットの載上面は、冷却機能を確保して、柔軟であるため、ペットは、マット上で快適に睡眠等することができる。
しかも、利用者は、上記一対のスライドファスナ６２ａ、６２ｂを離間してマット６１とペット用敷設具６０とを分離して、マット６１を洗濯することができるとともに、保冷剤１２等の入れ換えも上記一対のスライドファスナ６３ａ、６３ｂを離間して容易に行うことができる。
【００５７】
さらに、他の実施形態として、図７に示すごとくペット用敷設具７０は、箱体７１を上面視骨の形状とする等、ペット用敷設具７０の外観を意匠的に向上した形態で形成してもよい。
【００５８】
上記構成を採れば、飼い主がペット用品の購入時において飼い主の目を惹くため、ペット用敷設具７０に対する購買意欲を増すことができる。
【００５９】
ところで、上述した実施例は全て保冷剤１２を例に取り上げて説明を行ったが、箱体１５、４１、７１には、保冷剤１２に限らず他の冷却する媒体、使い捨てカイロ等の保温媒体、あるいは、芳香剤等を収納して使用してもよい。
【００６０】
上述するごとくペット用敷設具７０は、夏季に限らず、年間を通じて室内外に関係なく使用できる。
【００６１】
また、上記ペット用敷設具１０、４０、５０、６０、７０は、熱伝導板１１を通して熱を全体に効率的に伝導させるため、例えば、湯を用いて保温する場合は、一回使用するにつき、湯は箱体１５内を充填する容量で足りるため、水や電力を殆ど消費しない。
【００６２】
しかも、保冷剤１２等を使用した場合は、何度でも再使用することができるため、ペット用敷設具１０、４０、５０、６０、７０は、経済的に優れ、環境面においても優しいといえる。
【００６３】
上述の実施形態と、この発明の構成との対応において、
この実施形態の熱伝導板１１は、この発明の熱伝導部材に対応し、
以下同様に、
保冷剤１２は、冷却媒体、又は、調温媒体に対応し、
フエルトの袋１７は、温度変化緩和手段に対応し、
弾性ウレタン部材５１は、断熱部材に対応し、
マット６１は、柔軟部材に対応するも、
この発明は、上述の実施形態の構成のみに限定されるものではなく、多くの実施の形態を得ることができる。
【図面の簡単な説明】
【図１】ペット用敷設具の外観図。
【図２】図１におけるＡＢ矢視図。
【図３】使用する際におけるペット用敷設具の一部を表す外観図。
【図４】ペット用敷設具の使用状態図。
【図５】他のペット用敷設具の正面図（ａ）、他のペット用敷設具の背面図（ｂ）。
【図６】さらに他のペット用敷設具の外観図。
【図７】手段の他のペット用敷設具の外観図。
【符号の説明】
１０、４０、５０、６０、７０…ペット用敷設具
１１…熱伝導板
１２…保冷剤
１５、４１、７１…箱体
１７…フエルトの袋体
５１…弾性ウレタン部材
６１…マット
【図１】
2005034018.tif 000003
【図２】
2005034018.tif 000004
【図３】
2005034018.tif 000005
【図４】
2005034018.tif 000006
【図５】
2005034018.tif 000007
【図６】
2005034018.tif 000008
【図７】
2005034018.tif 000009